(57)【要約】【課題】この発明は、壁体を乗越えて敷地内に侵入する不審者の当該行為を未然に防止するための防犯用植栽容器に関する。【解決手段】本発明の防犯用植栽容器１は、住宅の敷地を区切る塀等の壁体３の上端面に載置される上側植栽容器７と、該上側植栽容器７の下方に設けられ前記壁体を厚み方向に挟持可能で、且つ、その間隔を拡縮自在な２つの保持部材５を具備する。そして、前記壁体３の敷地外側面を挟持する前記一方の保持部材５ｂの下方から敷地外側に突出して外側植栽容器８が設けられている。【選択図】図１
2009261290.tif 000002
【特許請求の範囲】
【請求項１】
住宅の敷地を区切る塀等の壁体の上端面に載置される上側植栽容器と、
該上側植栽容器の下方に設けられ前記壁体を厚み方向に挟持可能で、且つ、その間隔を拡縮自在な２つの保持部材を具備することを特徴とする防犯用植栽容器。
【請求項２】
前記外側植栽容器には、その敷地外側面の上端縁から外側方向に広がる鍔部を具備することを特徴とする請求項１記載の防犯用植栽容器。
【請求項３】
請求項１記載の防犯用植栽容器において、
前記壁体の敷地外側面を挟持する前記一方の保持部材の下方から敷地外側に突出して外側植栽容器が設けられたことを特徴とする防犯用植栽容器。
【請求項４】
前記上側植栽容器、及び前記外側植栽容器の少なくとも一方側の敷地外側面の上端縁には、該上端縁から外側方向に広がる鍔部を具備することを特徴とする請求項３記載の防犯用植栽容器。
【請求項５】
請求項１乃至４記載の防犯植栽容器において、
前記上側植栽容器に不審者を検知する検知手段が内蔵されると共に、該検知手段の検知窓が前記上側植栽容器における前記壁体の長手方向の外側に設けられたことを特徴とする防犯用植栽容器。
【請求項６】
請求項１乃至５記載の防犯用植栽容器が前記壁体に所定間隔で設けられたことを特徴とする防犯壁体構造。
【発明の詳細な説明】
【技術分野】
【０００１】
この発明は、塀等の壁体を乗越えて敷地内に侵入する不審者の当該行為を未然に防止するための防犯用植栽容器に関する。
【背景技術】
【０００２】
従来、住宅の敷地内への不審者の侵入を防止するために、該住宅の敷地を区切る塀等の壁体の上面に忍び返しを設けたり、壁体の高さを高くする等の対策が行われてきた。しかし、既存の住宅の壁体に忍び返しを設けたり、壁体の高さを高くするのは施工が大掛かりになり、多大な費用を要するという問題があった。また、壁体を高くした際には、一旦、不審者が敷地内に侵入した場合には外部から当該不審者の侵入がわかりにくく防犯上好ましくない。一方、塀等の壁体の上端面に植木鉢やプランターを置く等して、不審者の侵入行為を未然に防止するという対策も採られている。しかし、この場合には、強風によりこの植木鉢等が意に反して壁体から落下し、それが通行人に接触する等の問題が発生する可能性がある。これらの問題を解決するために以下のような、プランター保持具が考案されている（例えば、特許文献１）。
【０００３】
このプランター保持具１００は、図１３に示すように、ベランダ１０１等の外壁１０２内側にその上端面１０３に引掛け、プランターを保持させる保持部１０４を具備すると共に、振動感知センサー１０５を具備するものである。
【０００４】
【特許文献１】実用新案登録第３１３２６６３号公報
【発明の開示】
【発明が解決しようとする課題】
【０００５】
しかし、プランター保持具１００は、ベランダ１０１等の外壁１０２内側に引掛けられているため、その外側から当該ベランダ１０１等を乗越えて住宅内に侵入することができる。また、プランター保持具１００が設けられていない場所からの侵入が容易であると共に、当該プランター保持具１００がコンクリートの塀等に設けられた際には、塀自体はほとんど振動しないので振動感知センサー１０５では検知することが困難であった。
【０００６】
この発明は上記のような種々の課題を解決することを目的としてなされたものであって、住宅の敷地を区切る塀等の壁体を乗越えて敷地内に侵入する不審者の当該行為を未然に防止するための防犯用植栽容器に関する。
【課題を解決するための手段】
【０００７】
上記目的を達成するために、請求項１記載の防犯用植栽容器は、住宅の敷地を区切る塀等の壁体の上端面に載置される上側植栽容器と、該上側植栽容器の下方に設けられ前記壁体を厚み方向に挟持可能で、且つ、その間隔を拡縮自在な２つの保持部材を具備することを特徴としている。
【０００８】
請求項２記載の防犯用植栽容器は、前記外側植栽容器には、その敷地外側面の上端縁から外側方向に広がる鍔部を具備することを特徴としている。
【０００９】
請求項３記載の防犯用植栽容器は、請求項１記載の防犯用植栽容器において、前記壁体の敷地外側面を挟持する前記一方の保持部材の下方から敷地外側に突出して外側植栽容器が設けられたことを特徴としている。
【００１０】
請求項４記載の防犯用植栽容器は、前記上側植栽容器、及び前記外側植栽容器の少なくとも一方側の敷地外側面の上端縁には、該上端縁から外側方向に広がる鍔部を具備することを特徴としている。
【００１１】
請求項５記載の防犯用植栽容器は、請求項１乃至４記載の防犯植栽容器において、前記上側植栽容器に不審者を検知する検知手段が内蔵されると共に、該検知手段の検知窓が前記上側植栽容器における前記壁体の長手方向の外側に設けられたことを特徴としている。
【００１２】
請求項６記載の防犯壁体構造は、請求項１乃至５記載の防犯用植栽容器が前記壁体に所定間隔で設けられたことを特徴としている。
【発明の効果】
【００１３】
請求項１記載の防犯用植栽容器によれば、住宅の敷地を区切る塀等の壁体の上端面に載置される上側植栽容器を具備している。これにより、住宅の敷地を区切る塀等の壁体を乗越えて不審者が当該敷地内に侵入しようとする場合には、上側植栽容器が壁体を上る際に邪魔になるため、不審者の住宅の敷地内への侵入を断念させ、当該行為を未然に防止することができる。また、上方植栽容器に植物が植えられることによって、住宅付近の通行人等の目に留まり易くなり、より防犯性を向上させることができる。
【００１４】
また、上側植栽容器の下方に設けられ前記壁体を厚み方向に挟持可能で、且つ、その間隔を拡縮自在な２つの保持部材を具備している。これにより、保持部材の間隔を拡大、若しくは縮小することで塀等の壁体の厚みに関わらず、多様な種類の壁体に使用することができる。また、台風等の強風によって、上側植栽容器が壁体から落下することがない。
【００１５】
請求項２記載の防犯用植栽容器によれば、前記外側植栽容器には、その敷地外側面の上端縁から外側方向に広がる鍔部を具備している。これにより、不審者が上側植栽容器の敷地外側面の上端の縁を手掛かりに塀等の壁体に上ろうとする際にも鍔部がその妨げとなるため、壁体を上るのが困難となり、不審者の住宅の敷地内への侵入を防止することができる。
【００１６】
請求項３記載の防犯用植栽容器によれば、請求項１記載の防犯用植栽容器において、前記壁体の敷地外側面を挟持する前記一方の保持部材の下方から敷地外側に突出して外側植栽容器が設けられている。これにより、上側植栽容器、及び外側植栽容器が壁体を上る際に邪魔になるため、不審者の住宅の敷地内への侵入を断念させ、当該行為を未然に防止することができる。また、上方植栽容器や外側植栽容器に植物が植えられることによって、住宅付近の通行人等の目に留まり易くなり、より防犯性を向上させることができる。
【００１７】
請求項４記載の防犯用植栽容器によれば、前記上側植栽容器、及び前記外側植栽容器の少なくとも一方側の敷地外側面の上端縁には、該上端縁から外側方向に広がる鍔部を具備している。これにより、不審者が上側植栽容器、若しくは外側植栽容器の少なくとも一方に設けられた敷地外側面の上端の縁を手掛かりに塀等の壁体に上ろうとする際にも鍔部がその妨げとなるため、壁体を上るのが困難となり、不審者の住宅の敷地内への侵入を防止することができる。
【００１８】
請求項５記載の防犯用植栽容器によれば、請求項１乃至４記載の防犯植栽容器において、前記上側植栽容器に不審者を検知する検知手段が内蔵されると共に、該検知手段の検知窓が前記上側植栽容器における前記壁体の長手方向の外側に設けられている。これにより、例えば塀等の壁体に複数の防犯用植栽容器が設けられた場合にも、当該防犯用植栽容器の間の壁体を上って侵入する不審者を検知することができる。
【００１９】
請求項６記載の防犯壁体構造によれば、請求項１乃至５記載の防犯用植栽容器が前記壁体に所定間隔で設けられている。これにより、本発明に係る防犯壁体構造を住宅やマンション等に使用することにより、大掛かりな改修工事をせずとも容易に当該住宅等の防犯性を高めることができる。
【発明を実施するための最良の形態】
【００２０】
この発明における防犯用植栽容器の最良の実施形態について、以下に説明する。本発明の防犯用植栽容器１は、図１に示すように、住宅の敷地２を区切る塀等の壁体３の上端面３ａに載置される載置部材４と、該載置部材４と略垂直方向に、相対向して略平行に設けられ前記壁体３を厚み方向に挟持可能で、且つ、その間隔Ｔを拡縮自在な２つの保持部材５と、から形成された断面略コの字型の保持部６と、該保持部６の上方に設けられた上側植栽容器７と、前記壁体３の敷地外側面３ｂを挟持する外側保持部材５ｂの下方から敷地外側に突出して設けられた外側植栽容器８と、を具備している。
【００２１】
そして、本実施形態においては、防犯用植栽容器１は、図４、図５に示すように、住宅の敷地２の内側から壁体３を挟持すると共に、上側植栽容器７の一部を形成する一方の分割体１ａと、住宅の敷地２の外側から壁体３を挟持すると共に、上側植栽容器７の一部を形成する他方の分割体１ｂと、から形成されている。
【００２２】
前記一方の分割体１ａは、図４、図５に示すように、壁体３の敷地内側面３ｃと当接すると共にこれを敷地２の内側から挟持する板状の内側保持部材５ａと、該内側保持部材５ａの略中央付近から敷地２の外側方向にこれと垂直方向に連設され壁体３の上端面３ａに載置される載置部材４と、を具備し、さらに、該載置部材４の両側端部からこれと略垂直方向に連設された２つの側面７１ａを具備している。そして、載置部材４と両側面７１ａ、及び内側保持部材５ａの上方部分とで一方の分割容器７ａが形成されている。
【００２３】
前記他方の分割体１ｂは、図４、図５に示すように、壁体３の敷地外側面３ｂと当接すると共にこれを敷地２の外側から挟持する板状の外側保持部材５ｂと、該外側保持部材５ｂの略中央付近から敷地２の内側方向にこれと垂直方向に連設され前記載置部材４の上面に載置されるように、両側面７１ａの幅よりも若干小さく形成された底面７２ｂと、を具備し、さらに、該底面７２ｂの両側端部からこれと略垂直方向に連設された２つの側面７１ｂを具備している。そして、底面７２ｂと両側面７１ｂ、及び外側保持部材５ｂの上方部分とで、一方の分割容器７ａの内側に内接するように他方の分割容器７ｂが形成されている。そして、外側保持部材５ｂの下端部には敷地２の外側に突出するように上面が開口した略直方体の外側植栽容器８が設けられている。
【００２４】
また、図１等に記載の実施形態のように、外側植栽容器８を設けていてもよいが、図１０に示すように、当該外側植栽容器８を設けずとも、上側植栽容器７のみでも不審者の侵入を防ぐことができる。
【００２５】
尚、一方の分割体１ａ、及び他方の分割体１ｂは、ポリプロピレン、ポリスチレン等の合成樹脂や、ＦＲＰ等の繊維強化合成樹脂、さらには、アルミやステンレスを始めとした耐腐食性の金属や、その他の金属に防錆処理を施したものを適宜使用することができる。また、図４に示すように、一方の分割体１ａと他方の分割体１ｂとを連結固定するための棒ネジ部９、及びナット１０も上述の材料を適宜選択して使用することが可能である。
【００２６】
そして、図４、図５に示すように、一方の分割容器７ａの長手方向の両側面７１ａにはその開口した敷地２側から壁体３の厚み方向に水平に調節溝１１が形成され、他方の分割容器７ｂの長手方向の両側面７１ｂには外側方向に突出して棒ネジ部９が設けられている。そのため、一方の分割体１ａと他方の分割体１ｂとを組合わせる際には、他方の分割容器７ｂが一方の分割容器７ａの内側に内接し、棒ネジ部９が調節溝１１内を横切るようにしてこれらが組合わされる。また、棒ネジ部９は一方の分割容器７ａの側面７１ａの肉厚よりも若干長く形成されているので、一方の分割容器７ａの側面７１ａから突出した棒ネジ部９にナット１０を螺合することで、前述のように組合わされた一方の分割体１ａと他方の分割体１ｂとを連結固定することができる。このように、一方の分割容器７ａと他方の分割容器７ｂとで上側植栽容器７が形成される。
【００２７】
また、調節溝１１に一旦挿入されナット１０で固定された棒ネジ部９の位置が、容易にずれることがないように、図５に示すように、該調節溝１１の上下には相対象に曲線状の凹部１１ａが複数連続的に形成されている。そして、上側植栽容器７、及び外側植栽容器８に土等の植栽基盤１２を入れ、さらに植物１３を植えた際にはこれらの荷重が他方の分割体１ｂを下方に引張るため、棒ネジ部９が調節溝１１の下方の凹部１１ａに入り込み、一方の分割体１ａと他方の分割体１ｂとがより強固に連結される。
【００２８】
尚、壁体３の厚みは住宅等によってその厚みが異なるため、図１、図２に示すように、一方の分割体１ａと他方の分割体１ｂとを組合わせて、ナット１０を螺合してこれらを連結固定する前に、他方の分割体１ｂを調節溝１１に従ってスライドさせることで内側保持部材５ａと外側保持部材５ｂとの間隔Ｔを当該壁体３の厚みに応じて調節することができる。また、一方の分割体１ａと他方の分割体１ｂとを連結固定する際には、予めナット１０を棒ネジ部９に仮締めしておいてから、前述のように一方の分割体１ａと他方の分割体１ｂとを組合せ、内側保持部材５ａと外側保持部材５ｂとの間隔Ｔを調節してから該ナット１０を本締めすることによりこれらを連結固定してもよい。本実施形態では、壁体３を戸建住宅の敷地２を区切る塀としているが、該壁体３はベランダ等であってもよく、さらに、戸建住宅に限定されず、マンションであってもよい。
【００２９】
尚、内側保持部材５ａと外側保持部材５ｂとの間隔Ｔを拡縮自在とする構造は、その他の構造であってもよい。すなわち、図１１に示すように、一方の分割体１ａの側面７１ａにおいて、壁体３の厚み方向に所定深さのネジ孔Ｓが形成されており、これと対応する他方の分割体１ｂの側面７２ｂの外側における外側面７ｃの端部を貫通するようにネジ孔Ｔが形成されている。そして、一方の分割体１ａと他方の分割体１ｂとを組み合わせた後、ネジＵ等をネジ孔Ｔ、ネジ孔Ｓにねじ込むことによりこれらを連結し、内側保持部材５ａと外側保持部材５ｂとの間隔Ｔを拡縮自在とすると共に、壁体３を挟持するようにしてもよい。さらに、内側保持部材５ａと外側保持部材５ｂとの間隔Ｔを拡縮自在とする構造は、本実施形態のものに限定されずその他の構造であってよいのは勿論である。
【００３０】
また、図６、図７に示すように、一方の分割容器７ａと他方の分割容器７ｂとの間に、例えばウレタンやゴム状の部材から形成されてなる気密部材１４を介在させてもよい。具体的には、他方の分割容器７ｂの側面７１ｂ、及び底面７２ｂの外側面に気密部材１４を予め貼付けておけば、一方の分割容器７ａと他方の分割容器７ｂとの間に隙間が生じることがない。すなわち、一方の分割体１ａと他方の分割体１ｂとを組合せ、これらを連結固定するためにナット１０を棒ネジ部９に螺合した場合には、気密部材１４と一方の分割容器７ａの側面７１ａの内側面とが密着し、一方の分割容器７ａの側面７１ａと他方の分割容器７ｂの側面７１ｂとの間に隙間が生じることがない。そして、外側植栽容器８に土等の植栽基盤１２を入れ、当該植栽基盤１２に植物１３を植えた場合には、これらの重みで気密部材１４と一方の分割容器７ａの載置部材４の上面とが密着し、一方の分割容器７ａの載置部材４と他方の分割容器７ｂの底面７２ｂとの間に隙間が生じることがない。
【００３１】
これにより、植物１３に水を与えた際にも上側植栽容器７における、一方の分割容器７ａと他方の分割容器７ｂの隙間から当該土等の植栽基盤１２を含んだ泥水が漏れることがなく、当該泥水によって壁体３が汚れることがない。また、本実施形態に係る外側植栽容器８も、上面が開口した略直方体形状の容器であり、その内側には外側へ通じる隙間がないので、上側植栽容器７と同様に、植物１３に水を与えた際にも外側に泥水が漏れることがなく、当該泥水によって壁体３が汚れることがない。
【００３２】
また、上側植栽容器７と外側植栽容器８には、図１に示すように、土等の植栽基盤１２を直接入れ、その後植物１３を植えてもよく、また、図３に示すように、予め別のプランター１５に土等の植栽基盤１２を入れたものに植物１３を植え、当該プランター１５を上側植栽容器７、及び外側植栽容器８に入れるようにしてもよい。
【００３３】
そして、上側植栽容器７、及び外側植栽容器８には、これらの敷地外側面７ｃ、８ａの上端縁から外側方向に広がる鍔部１６を具備している。該鍔部１６は、図５に示すように、上側植栽容器７、及び外側植栽容器８の敷地外側面７ｃ、８ａの上端縁から外側に水平方向に形成されていてもよいが、図８に示すように、該上端縁から外側方向に円弧状に形成されていてもよく、さらには、その他の形状でもよい。これにより、不審者が上側植栽容器７、若しくは外側植栽容器８の敷地外側面７ｃ、８ａの上端の縁を手掛かりに塀等の壁体３に上ろうとする際にも鍔部１６がその妨げとなるため、壁体３を上るのが困難となり、不審者の住宅の敷地２内への侵入を防止することができる。尚、本実施形態においては、図５に示すように、上側植栽容器７、及び外側植栽容器８の両方に鍔部１６が設けられているが、いずれか一方に当該鍔部１６が設けられていてもよいのは勿論である。
【００３４】
さらに、他方の分割体１ｂの全部、若しくは、少なくとも鍔部１６付近が板状の合成樹脂、繊維強化樹脂、硬質ゴム等の可撓性の材料で形成しておくことで、不審者が鍔部１６を手掛かりにして壁体３を上ろうとした際にも、該鍔部１６が変形若しくは破損するので当該不審者は住宅の敷地２内に侵入することができない。
【００３５】
また、図１に示すように、防犯用植栽容器１の敷地外側面の一部、若しくは全体に、蛍光塗料、蓄光塗料、若しくはこれらをテープ状にした視認性向上材１７を設けてもよく、これにより、夜間も壁体３の領域が明確になるので、人目につきやすく防犯性が向上すると共に、車の走行等の際にも安全である。本実施形態においては、上側植栽容器７、及び、外側植栽容器８の敷地外側面７ｃ、８ａに蓄光テープを水平方向に貼ることにより壁体３の領域を明確にしているが、これに限定されるものではなく、また、上側植栽容器７、外側植栽容器８のいずれか一方側にのみ視認性向上材１７が設けられていてもよい。
【００３６】
このように、一方の分割体１ａと他方の分割体１ｂとを連結固定して形成された防犯用植栽容器１では、載置部材４と、内側保持部材５ａ、及び外側保持部材５ｂが、下方に開口した断面略コの字型の保持部６を形成している。すなわち、住宅の敷地２を区切る塀等の壁体３の上端面３ａに載置される載置部材４と、該載置部材４と略垂直方向に、相対向して略平行に設けられ前記壁体３を厚み方向に挟持可能で、且つ、その間隔Ｔを拡縮自在な内側保持部材５ａ、及び外側保持部材５ｂとから保持部６が形成されている。そして、載置部材４、内側保持部材５ａ、及び外側保持部材５ｂにおける壁体３と当接する側の保持部６の内側面には、防犯用植栽容器１が壁体３から容易に外れることがないように、図７に示すように、これらの内側面自体を凹凸にした滑り止め１８ａが形成されていてもよく、また、図６に示すように、ウレタンやゴム状の滑り止め材１８ｂを設けてもよい。
【００３７】
そして、前記載置部材４には壁体３を乗越えて侵入しようとする不審者を検知するための検知手段１９を設けている。該検知手段１９は、図１、図４に示すように、載置部材４に内蔵されると共に、上側植栽容器７の一方側に形成された開口部２０に設けられた検知手段１９の検知窓１９ａで、図９、図１２に示すように、壁体３に所定間隔で複数設置された防犯用植栽容器１の間を乗越えて住宅の敷地２に侵入する不審者を検知することができる。また、検知手段１９は、本実施形態のように、人体表面から放出される遠赤外線を受信し、背景と人体との遠赤外線エネルギーの差を検出して人体を検出する赤外線受動センサー等を好適に使用することができる。また、これ以外にも赤外線ビームを照射する発光部と、該発光部で照射された赤外線ビームのうち人体で反射されたビームを受信する受信部とから形成された赤外線能動センサー等も適宜使用することができる。
【００３８】
そして、図１に示すように、開口部２０には検知窓１９ａと共に、照明手段２１が設けられており、検知手段１９の検知窓１９ａが不審者の存在を検知した場合には、該検知手段１９に内蔵された制御手段にその検知結果が送信され、この検知結果に基づいて照明手段２１を点灯させることができる。また、照明手段２１は輝度の高いハロゲンライトや、白色のＬＥＤライトを始め、赤、青、緑等の有色光のものであってよく、周知のセンサーライト等を好適に使用することができる。さらに、照明手段２１以外にも、警報手段等の防犯手段を設けていてもよく、検知手段１９の検知窓１９ａが不審者の存在を検知した場合には、照明手段２１以外の防犯手段も起動させるようにしてもよい。また、制御手段に送信手段を備えておけば、検知結果を住人の携帯電話等の携帯移動端末に送信することもでき、外出中の住人に不審者の侵入を知らせることも可能である。
【００３９】
さらに、開口部２０には照度センサー２２が設けられており、検知手段１９が不審者の侵入を検知し、且つ、該照度センサー２２が屋外の照度が所定光量以下になったと判断した場合にのみ照明手段２１を点灯させることができる。すなわち、該照度センサー２２が、屋外の照度が例えば２０ルクス以下になったと判断し、且つ、検知手段１９が不審者の侵入を検知した場合に、これらの検出結果を制御手段に送信し、該検出結果に基づいて制御手段が照明手段２１を点灯させる。これは、照度の高い昼間等に照明手段２１を点灯させたとしても、太陽光の照度の方が大きいため不審者を威嚇する効果が少ないためである。そのため、昼等の照度が所定照度以上の時には音による威嚇を行い、夜等の照度が所定照度よりも小さい時には光による威嚇を行うこともできる。
【００４０】
そのため、照度センサー２２が、屋外の照度が例えば２０ルクス以上であると判断し、且つ、検知手段１９が不審者の侵入を検知した場合には、この検出結果を制御手段に送信し、該検出結果に基づいて照明手段２１を点灯させずに警報装置等の他の防犯手段のみを起動させてもよい。しかし、照明手段２１の色を赤、青、緑等の白色光以外の有色光とする場合には、屋外の照度が例えば２０ルクス以上であると判断し、且つ、検知手段１９が不審者の侵入を検知した場合にも、該照明手段２１を点灯させることで、太陽光の色とは異なる色が敷地２の外部から視認され、不審者の侵入等、異常が発生したことを敷地２の外部に知らせることができる。
【００４１】
また、以上のような防犯用植栽容器１を、図１２に示すように、住宅の敷地２の周囲を囲む壁体３に適宜所定間隔をあけて複数設けて防犯壁体構造を構成し、マンションや戸建住宅等の住宅に適応することができる。この場合には、検知手段１９は、図１２に示す防犯用植栽容器１ｃでは、その一方側にのみ検知手段１９の検知窓１９ａを設けていればよく、当該防犯用植栽容器１の他方側は、この他方側に所定間隔あけて相隣接する他の防犯用植栽容器１ｄの検知手段１９の検知窓１９ａの検知領域に補完されている。しかし、防犯用植栽容器１ｅのように、他の防犯用植栽容器１の検知手段１９の検知窓１９ａの検知領域によって補完されない場合には、その両側に検知手段１９の検知窓１９ａを設けてもよい。さらに、防犯用植栽容器１ｆのように、他の防犯用植栽容器１ｃの検知手段１９の検知窓１９ａの検知領域に補完され、当該防犯用植栽容器１ｆ自体には検知手段１９が必要ない場合には、これを設けなくてもよいのは勿論である。
【００４２】
尚、上述の防犯用植栽容器１の構成は一例であり、内側保持部材５ａを始めとした各部材を板状の部材で構成したが、これらは、複数のパイプ状の部材を組合わせて形成されていてもよく、これらの構成に限定されるものではない。以上ような防犯用植栽容器１を壁体３に設け、さらには該防犯用植栽容器１を壁体３に設けた防犯壁体構造をマンションや戸建住宅等の住宅に適応することで、住宅の敷地２を区切る塀等の壁体３を乗越えて該敷地２に侵入する不審者の当該行為を未然に防止することができる。
【産業上の利用可能性】
【００４３】
本発明に係る防犯用植栽容器１は、マンションや戸建住宅等の住宅の壁体３を始め、これらのベランダ等にも使用することができる。
【図面の簡単な説明】
【００４４】
【図１】本実施形態に係る防犯用植栽容器の取付け状態を示す斜視図
【図２】保持部の間隔を拡大した状態の防犯用植栽容器の斜視図
【図３】第１、及び外側植栽容器にプランターを入れる状態を示す斜視図
【図４】本実施形態に係る防犯用植栽容器を組立てる状態を示す斜視図
【図５】本実施形態に係る防犯用植栽容器を組立てる状態を示す側面図
【図６】他の実施形態に係る防犯用植栽容器の側面図
【図７】他の実施形態に係る防犯用植栽容器の側面図
【図８】他の実施形態に係る防犯用植栽容器の側面図
【図９】住宅の壁体に所定間隔で複数の防犯用植栽容器が取付けられた状態を示す図
【図１０】上方植栽容器のみが設けられた防犯用植栽容器の斜視図
【図１１】内側保持部材と外側保持部材との間隔を拡縮自在にする他の構成を示す斜視図
【図１２】住宅の壁体に所定間隔で複数の防犯用植栽容器が取付けられた状態を示す上視図
【図１３】従来技術を示す図
【符号の説明】
【００４５】
１          防犯用植栽容器
２          敷地
３          壁体
３ａ        上端面
３ｂ        敷地外側面
３ｃ        敷地内側面
４          載置部材
５          保持部材
５ａ（５）  内側保持部材
５ｂ（５）  外側保持部材
６          保持部
７          上側植栽容器
８          外側植栽容器
１９        検知手段
【図１】
2009261290.tif 000003
【図２】
2009261290.tif 000004
【図３】
2009261290.tif 000005
【図４】
2009261290.tif 000006
【図５】
2009261290.tif 000007
【図６】
2009261290.tif 000008
【図７】
2009261290.tif 000009
【図８】
2009261290.tif 000010
【図９】
2009261290.tif 000011
【図１０】
2009261290.tif 000012
【図１１】
2009261290.tif 000013
【図１２】
2009261290.tif 000014
【図１３】
2009261290.tif 000015